(57)【要約】      （修正有）【課題】液晶表示装置に関し、特にパネルガイドによる光学シートの損傷や、皺が寄ることを防止する液晶表示装置を提供する。【解決手段】液晶パネル３２と、バックライトアッセンブリと、バックライトアッセンブリの導光板３６上に設置され、その一部がパネルガイド４２の下部に位置する光学シート３４と、パネルガイド４２とバックライトアッセンブリの間に設置されて間隔を維持させると共に液晶パネル３２の側に流入される熱と異物を遮断するための間隔維持／熱遮断部材５４と、液晶パネルを下で支持し、間隔維持／熱遮断部材５４を固定する孔を有するパネルガイド４２と、メインフレーム４４と、印刷回路ボード３８と、四角形の帯状で液晶パネル部分を囲む構造を有する第２シリコンパッド５６Ａと、第３シリコンパッド５６Ｂとを具備する液晶表示装置の提供。【選択図】図５
2008181150.tif 000002
【特許請求の範囲】
【請求項１】
液晶パネルと、
前記液晶パネルに光を照射するバックライトアッセンブリと、
前記バックライトアッセンブリの導光板上に設置され、その一部がパネルガイドの下部に位置する光学シートと、
前記パネルガイドとバックライトアッセンブリの間に設置されて前記パネルガイドとバックライトアッセンブリの間の間隔を維持させることと共に前記液晶パネルの側に流入される熱と異物を遮断するための間隔維持／熱遮断部材と、
前記バックライトアッセンブリと前記液晶パネルの間に設置されて前記液晶パネルを下で支持し、前記間隔維持／熱遮断部材を固定する孔を有する前記パネルガイドと、
前記バックライトアッセンブリが固定されるメインフレームと、
前記メインフレームの下に設置される印刷回路ボードと、
前記メインフレームと前記印刷回路ボードの間に設置され、四角形の帯状で液晶パネル部分を囲む構造を有する第２シリコンパッドと、
前記印刷回路ボードとボトムケースの間に設置され、四角形の帯状で前記液晶パネル部分を囲む構造を有する第３シリコンパッドとを具備することを特徴とする液晶表示装置。
【請求項２】
前記間隔維持／熱遮断部材は前記バックライトアッセンブリに含まれた導光板と前記パネルガイドの間に設置されることを特徴とする請求項１記載の液晶表示装置。
【請求項３】
前記間隔維持／熱遮断部材は前記導光板と前記パネルガイドの間に設置されるシリコンパッドであることを特徴とする請求項２記載の液晶表示装置。
【請求項４】
前記間隔維持／熱遮断部材は前記導光板と前記パネルガイドの間に塗布される樹脂であることを特徴とする請求項２記載の液晶表示装置。
【発明の詳細な説明】
【技術分野】
【０００１】
本発明は液晶表示装置に関し、特にパネルガイドによる光学シートの損傷や、皺が寄ることを防止する液晶表示装置に関する。
【背景技術】
【０００２】
通常、ノートブックコンピュータ（以下″ＮＴＰＣ″という）の表示装置として利用される液晶モジュールは図１及び図２に表したように、バックライトアッセンブリが収納されたメインフレーム（１４）と、メインフレーム（１４）の上部に水平に搭載取り付けられたパネルガイド（１２）と、パネルガイド（１２）上に設けられた液晶パネル（２）と、液晶パネル（２）の縁側とメインフレーム（１４）の側面を囲むトップケース（１６）と、トップケース（１６）の側面と接触して液晶モジュールの底面を囲むボトムケース（１０）とを具備する。バックライトアッセンブリは、図２に示すようにランプ（２０）が装着されたランプハウジング（１８）、ランプ（２０）から入射した光を面光源に変換するための導光板（６）及び導光板の上に搭載されて液晶パネル（２）側に入射される光効率を高めるための光学シート（４）を含む。ここで、光学シート（４）は拡散シート、プリズムシート、保護シート等多数のシートの積層構造である。メインフレーム（１４）は通常成形品、金属で製作されてバックライトアッセンブリを固定及び支持する役割をする。
【０００３】
パネルガイド（１２）はポリカーボネート等の樹脂材料で成形されてメインフレーム（１４）の上部に搭載されて、液晶パネル（２）が搭載されるパネルの固定部の上面には液晶パネル（２）が安定に固定されることができるように段差面が形成される。トップケース（１６）とボトムケース（１０）は側面が相互重なり合っており、図示しないネジで固定される。液晶パネルは偏光板を貼付した二枚のガラス基板の間に液晶が注入されて、マトリックス形態で配置された各液晶画素セルは薄膜トランジスタ（″ＴＦＴ″）によって駆動される。液晶パネルの縁側に形成された信号ラインのパッドとメインフレーム（１４）の下側に設置された印刷回路ボード（以下″ＰＣＢ″という）（８）の間にはドライブ集積回路（以下″ＩＣ″という）が載せられたテープキャリアーパッケージ（以下″ＴＣＰ″という）（２２）が設置される。ＰＣＢ（８）とボトムケース（１０）の間には電磁気的妨害（以下″ＥＭＩ″という）を遮蔽するためのガスケット（２４）が設置される。
【０００４】
しかし、パネルガイド（１２）と光学シート（４）の間には約０．４±０．１ｍｍ程度のギャップが存在する。そしてパネルガイド（１２）のパネルの固定部の厚さは図３のように大略０．７〜０．８ｍｍ程度で設定される。このために従来の液晶モジュールでは液晶パネル（２）の自重か組立時の工程中に加わる圧力によってパネルガイド（１２）が下に押されるようになって光学シート（４）を加圧する問題点がある。このようにパネルガイド（１２）によって光学シート（４）の縁側が押されると該当の部分で光学シート（４）に皺が寄るか、損傷を受け、画像を表示した時に、縁の部分が暗くなる結果をもたらす。また、従来の液晶モジュールではパネルガイド（１２）とバックライトアッセンブリの間のギャップを維持するためにランプ（２０）から発生して液晶パネル（２）側に引加される熱によって液晶が加熱されて光学シート（４）に皺が寄る。また、従来の液晶モジュールではギャップを通してバックライトアッセンブリ交換時か液晶モジュールの組立工程で発生して液晶パネル（２）、ＰＣＢ（８）及びＴＣＰ（２２）側に流入する異物によってパッドまたはパターン間の短絡が発生する問題点がある。
【発明の開示】
【発明が解決しようとする課題】
【０００５】
従って、本発明の目的はパネルガイドによって光学シートが損傷したり皺が寄ることを防止する液晶表示装置を提供することにある。
【課題を解決するための手段】
【０００６】
本発明によれば、液晶パネルと、前記液晶パネルに光を照射するバックライトアッセンブリと、前記バックライトアッセンブリの導光板上に設置され、その一部が前記パネルガイドの下部に位置する光学シートと、前記パネルガイドとバックライトアッセンブリの間に設置されて前記パネルガイドとバックライトアッセンブリの間の間隔を維持させることと共に前記液晶パネルの側に流入される熱と異物を遮断するための間隔維持／熱遮断部材と、前記バックライトアッセンブリと前記液晶パネルの間に設置されて前記液晶パネルを下で支持し、前記間隔維持／熱遮断部材を固定する孔を有するパネルガイドと、前記バックライトアッセンブリが固定されるメインフレームと、前記メインフレームの下に設置される印刷回路ボードと、前記メインフレームと前記印刷回路ボードの間に設置され、四角形の帯状で液晶パネル部分を囲む構造を有する第２シリコンパッドと、前記印刷回路ボードとボトムケースの間に設置され、四角形の帯状で前記液晶パネル部分を囲む構造を有する第３シリコンパッドとを具備する液晶表示装置が提供される。
【発明の効果】
【０００７】
本発明による液晶表示装置はパネルガイド（４２）とバックライトアッセンブリの間にシリコンパッド（５４）を設置する。このシリコンパッド（５４）によって本発明による液晶表示装置はパネルガイド（４２）が押されることを防止することと共にランプ（５０）側に流入する熱と異物を遮断して光学シート（３４）が損傷したり皺が寄ることを防止することができる。更に、本発明による液晶表示装置はメインフレーム（４４）とＰＣＢ（３８）の間、および、ＰＣＢ（３８）とボトムケース（４０）の間にシリコンパッドを設置してメインフレーム（４４）とＰＣＢ（３８）の間、および、ＰＣＢ（３８）とボトムケース（４０）の間の間隔を一定に維持してＴＣＰ（５２）と液晶パネル（３２）側に流入する異物を遮断してＴＣＰ（５２）と液晶パネル（３２）上に形成されたパッドの間の短絡を防止することができる。
【発明を実施するための最良の形態】
【０００８】
前記目的以外の本発明の目的及び利点を添付した図面を参照した本発明の好ましい実施例に対する説明を通して明らかにする。以下、本発明の実施例を添付した図４ないし図５を参照して本発明の好ましい実施例について説明する。
【０００９】
図４及び図５に示すように、本発明による液晶表示装置はバックライトアッセンブリとパネルガイド（４２）の間に設置された第１シリコンパッド（５４）と、メインフレーム（４４）とＰＣＢ（３８）の間に設置された第２シリコンパッド（５６Ａ）と、ＰＣＢ（３８）とボトムケース（４０）の間に設置された第３シリコンパッド（５６Ｂ）とを具備する。バックライトアッセンブリはランプ（５０）、ランプハウジング（４８）、導光板（３６）及び光学シート（３４）を含めて、メインフレーム（４４）に収納されてメインフレーム（４４）によって固定される。第１シリコンパッド（５４）は弾性のあるシリコンを主材料として製作されて、導光板（３６）とパネルガイド（４２）の間に設置されてパネルガイド（４２）を下から支持する。この第１シリコンパッド（５４）は光学シート（３４）とパネルガイド（４２）の間のギャップを一定に維持する。また、第１シリコンパッド（５４）はランプ（５０）から発生して液晶パネル（３２）と光学シート（３４）側に流入する熱と異物を遮断する役割を有する。第２シリコンパッド（５６Ａ）はメインフレーム（４４）とＰＣＢ（３８）の間の間隔を維持して、第３シリコンパッド（５６Ｂ）はＰＣＢ（３８）とボトムケース（４０）の間の間隔を維持する。これらの第１乃至第３シリコンパッド（５４、５６Ａ、５６Ｂ）は四角の帯状で液晶モジュールを囲む構造で設置される。このシリコンパッド樹脂（５４、５６Ａ、５６Ｂ）は樹脂を塗布することで代用されることができる。
【００１０】
一方、パネルガイド（４２）はメインフレーム（４４）の上部に搭載されて、この上部の底面に第１シリコンパッド（５４）が安定に固定されることができるようにする孔が形成される。トップケース（４６）とボトムケース（４０）は側面が相互に重なり合って図示しないネジで固定される。液晶パネル（３２）の縁側に形成されたパッド部とＰＣＢ（３８）の出力パッドの間ではＴＣＰ（５２）が異方性導電フィルム（ＡＣＦ）によって搭載される。ＰＣＢ（３８）とボトムケース（４０）の間にはＥＭＩを遮断するためのガスケットが設置されてもよい。
【００１１】
以上説明した内容を通して当業者であれば本発明の技術思想を逸脱しない範囲で多様な変更及び修正が可能であることが分かる。従って、本発明の技術的な範囲は明細書の詳細な説明に記載された内容に限らず特許請求の範囲によって定めなければならない。
【図面の簡単な説明】
【００１２】
【図１】図１は、従来の液晶モジュールを上から見た平面図である。
【図２】図２は、図１で線″ＡーＡ′″に沿って切り取って表す断面図である。
【図３】図３は、図２に図示されたガイドパネルが押された状態を表す断面図である。
【図４】図４は、本発明の実施例による液晶モジュールを上から見た平面図である。
【図５】図５は図４で線″ＢーＢ′″に沿って切り取って表す断面図である。
【符号の説明】
【００１３】
２、３２：液晶パネル
４、３４：光学シート
６、３６：導光板
８、３８：印刷回路ボード
１０、４０：ボトムケース
１２、４２：パネルガイド
１４、４４：メインフレーム
１６、４６：トップケース
２２、５２：テープキャリアーパッケージ
２４：ガスケット
５４、５６Ａ、５６Ｂ：シリコンパッド
【図１】
2008181150.tif 000003
【図２】
2008181150.tif 000004
【図３】
2008181150.tif 000005
【図４】
2008181150.tif 000006
【図５】
2008181150.tif 000007